(57)【要約】【課題】  カップを安定・安全に吊り下げて持ち運びができ、格別な部品を用いることなく構成でき、積み重ねて最小限の嵩張りで済むカップ吊り下げ具を提供する。【解決手段】  シート部材（３）の一端側と他端側のほぼ中央にカップを保持することを特徴とするカップ吊り下げ具（１）である。カップの上端開口の周縁もしくはカップの上端開口に被せられた蓋部材と直接的もしくは間接的に接触し、当該シート部材に対するカップの上下動を規制するための押え片（９）を設けることが好ましい。カップ麺を食べるための割りばしを保持できるようにしたり、丼型・弁当箱型のカップを吊り下げられるようにすることもよい。【選択図】    図１
0003215638.tif 000002
【実用新案登録請求の範囲】
【請求項１】
カップを吊り下げて持ち運ぶためのカップ吊り下げ具であって、
当該カップは、所定形状の底があり、当該底と平行な断面形状が上端に向かって次第に相似形的に大きくなるテーパー状のカップであり、
一端側と他端側を有する可撓性のシート部材と、
当該シート部材の一端側と他端側のほぼ中央にカップを差し入れ可能に貫通形成された、カップの底の最大長より長く、かつ、カップの上端の最大長より短い、内側最大長を有するカップ保持孔と、
当該カップ保持孔にカップが保持された状態の当該シート部材の一端側と他端側をカップ上方で重ね合わせられるように構成されている
ことを特徴とするカップ吊り下げ具。
【請求項２】
前記シート部材の一端側と他端側をカップ上方で重ね合わせたときにカップの上端開口の周縁もしくはカップの上端開口に被せられた蓋部材と直接的もしくは間接的に接触し、当該シート部材に対するカップの上下動を規制するための規制構造と、を有し、
当該規制構造は、当該シート部材の一端側と他端側の少なくとも一方からカップ側に部分的に折り起こし可能な押え片が含まれる
ことを特徴とする請求項１記載のカップ吊り下げ具。
【請求項３】
前記押え片は、前記シート部材の一端側と他端側の双方に設けられ、
当該押え片各々は、折り起こしにより当該シート部材に形成された折り起こし孔の双方を貫通させた割りばしを介してカップの上端開口の周縁もしくはカップの上端開口に被せられた蓋部材と接触するように構成されている
ことを特徴とする請求項２記載のカップ吊り下げ具。
【請求項４】
カップを吊り下げて持ち運ぶためのカップ吊り下げ具であって、
カップ保持部を挟んだ両側に一端側と他端側とを有する可撓性のシート部材と、
当該カップ保持部にカップが保持された状態で当該シート部材の一端側と他端側とをカップ上方で重ね合わせたとき、当該シート部材の一端側と他端側の少なくとも一方からカップ側に突出してカップの上端開口の周縁もしくはカッブの上端開口に被せられた蓋部材と直接的もしくは間接的に接触することにより当該シート部材に対するカップの上下動を規制するための押え片と、を有する
ことを特徴とするカップ吊り下げ具。
【請求項５】
カップを吊り下げて持ち運ぶためのカップ吊り下げ具であって、
カップ保持部を挟んだ両側に一端側と他端側とを有する可撓性のシート部材と、
当該シート部材の一端側と他端側のそれぞれに貫通形成された、カップを部分的に突出可能な突出用開口と、
当該カップ保持部にカップが保持された状態で当該シート部材の一端側と他端側とをカップ上方で重ね合わせたとき、当該シート部材の一端側と他端側の少なくとも一方から反カップ側に突出して当該突出用開口から突出したカップの上端開口の周縁もしくはカッブの上端開口に被せられた蓋部材と直接的もしくは間接的に接触し、当該シート部材に対するカップの上下動を規制するための押え片と、を有する
ことを特徴とするカップ吊り下げ具。
【請求項６】
前記規制押え片は、当該シート部材の一部を切り起こしてなるものである
ことを特徴とする請求項４または５記載のカップ吊り下げ具。
【請求項７】
前記カップ保持部は丼形状のカップを載置可能に構成され、
前記突出用開口のそれぞれは、丼形状のカップの上縁開口の周縁が少なくとも突出可能な形状に形成されている
ことを特徴とする請求項５記載のカップ吊り下げ具。
【請求項８】
前記カップ保持部は、対向する角部を有する弁当箱形状のカップを、対向する角部のそれぞれが前記突出用開口に向けて載置可能に構成され、
前記突出用開口のそれぞれは、対向する角部のそれぞれが突出可能な形状に形成されている
ことを特徴とする請求項５記載のカップ吊り下げ具。
【考案の詳細な説明】
【技術分野】
【０００１】
本考案は、主としてコーヒーなどの飲料や麺カップやカップスープなどの食品を収納したカップを吊り下げて持ち運ぶためのカップ吊り下げ具に関する
【背景技術】
【０００２】
特許文献１が開示するカップホルダー（第１の先行ホルダー）は、円形の底があり上端に向かって次第に径が大きくなるテーパー状のカップを吊り下げて持ち運ぶためのカップ吊り下げ具であって、一端側と他端側を有する可撓性のシート部材と、当該シート部材の一端側と他端側のほぼ中央に貫通形成された、カップの最大径より小さく、かつ、カップの最小径より大きな内径のカップ保持孔（貫通孔）と、シート部材（帯部）の一端側と他端側を固定する固定部（スナップボタン）を備えている。
【０００３】
特許文献２には、カップ保持孔（透孔）を有する底板部と、底板部の両側から延びて幅方向中央に窓穴を有する２つの提げ板部（シート部材）と、下げ板部の端部を係合する構造とを有するカップホルダー（第３の先行ホルダー）が記述されている。第３の先行ホルダーの用途は、カップケーキ等の柔らかい菓子類の持ち運びに限定されている。
【先行技術文献】
【特許文献】
【０００４】
【特許文献１】実用新案登録第３１９８０２６号公報
【特許文献２】実用新案公開昭和５９年第１６８３４２号公報
【考案の概要】
【考案が解決しようとする課題】
【０００５】
第１の先行ホルダーは、シート部材とは別部材である固定部によって、その一端側と他端側が固定されるのであるが、別部材の固定部を有するとなれば、その分だけ部品点数が増加するし加工の手間がかかるので、コスト高になるという問題点がある。また、この種のシート部材は、使用前は何枚も積み重ね、たとえば、コンビニエンスストアの代金支払所の脇などに置かれるのが通常である。そのとき、固定部という突起があるものを積み重ねると不安定になるし嵩張るので、限られたスペースの中でたくさんの枚数を在庫しておくことができないという不都合を招きやすい。
【０００６】
第２の先行ホルダーは、上述したように、柔らかい菓子類を持ち運ぶためのものであるから、持ち運ぶ際にその菓子類に接触することは許されない。菓子類がへこんだり変形したりしてしまうからである。このため、持ち運ぶ際に、菓子の類の底部が、たとえば机のような障害物にぶつかって上に押し上げられると、ホルダーから飛び出すか、飛び出さないまでもホルダーに衝突して変形してしまうおそれがあった。
【０００７】
本考案は、上述した第１の先行ホルダー若しくは第２の先行ホルダーの問題点を解消することを目的とする。すなわち、様々な収容物を収納したカップを安定・安全に吊り下げて持ち運びができ、格別な部品を用いることなく構成でき、さらに、使用前後に積み重ねて最小限の嵩張りで済むカップ吊り下げ具の提供を目的とする。
【課題を解決するための手段】
【０００８】
上記課題を解決するため本考案は、次に述べる特徴を備えている。なお、何れかの請求項記載の考案の特徴を説明に当たり行う用語の定義等は、その記載順に関わりなく、その性質上可能な範囲において他の請求項記載の考案にも適用があるものとする。
【０００９】
（請求項１記載の考案の特徴）
請求項１記載の考案に係るカップ吊り下げ具（以下、請求項１の吊り下げ具」という）は、カップを吊り下げて持ち運ぶためのカップ吊り下げ具である。当該カップは、所定形状の底があり、当該底と平行な断面形状が上端に向かって次第に相似形的に大きくなるテーパー状のカップを吊り下げて持ち運ぶためのカップ吊り下げ具である。この請求項１の吊り下げ具は、一端側と他端側を有する可撓性のシート部材と、当該シート部材の一端側と他端側のほぼ中央にカップを差し入れ可能に貫通形成された、カップの底の最大長より長く、かつ、カップの上端の最大長より短い、内側最大長を有するカップ保持孔と、当該カップ保持孔にカップが保持された状態の当該シート部材の一端側と他端側をカップ上方で重ね合わせられるように構成されている。
【００１０】
請求項１の吊り下げ具によれば、シート部材の一端側と他端側を重ね合わせた状態で、カップ保持孔に差し込んだカップを吊り下げることができる。カップ保持孔への差し込みにより、シート部材によるカップ保持が安定する。
【００１１】
（請求項２記載の考案の特徴）
請求項２記載の考案に係るカップ吊り下げ具（以下、請求項２の吊り下げ具」という）では、請求項１の吊り下げ具の好ましい態様として、前記シート部材の一端側と他端側をカップ上方で重ね合わせたときにカップの上端開口の周縁もしくはカップの上端開口に被せられた蓋部材と直接的もしくは間接的に接触し、当該シート部材に対するカップの上下動を規制するための規制構造と、を有している。ここで、当該規制構造は、当該シート部材の一端側と他端側の少なくとも一方からカップ側に部分的に折り起こし可能な押え片が含まれる。ここで当該押え片は、前記シート部材の一端側と他端側の双方に設けられている。
【００１２】
請求項２の吊り下げ具によれば、シート部材に対するカップの上下動を押え片が規制するので、吊り下げて持ち運ぶときカップの底が、たとえば、テーブルなどの障害物にぶつかっても容易に跳ね上がったり飛び出したりすることが防止される。このため、カップの持ち運びの際に、収納物をこぼしたり、カップ自体を吊り下げ具から落下されたりする恐れが払しょくされる。押え片は、シート部材の一部を折り起こしてなるものであるから、シート部材の加工だけで形成することができ、格別な部品を要しない。このため、使用前もしくは使用後の請求項１の吊り下げ具を、複数枚を積み重ねても不安定にならないし、嵩張りも最小限で済む。
【００１３】
（請求項３記載の考案の特徴）
請求項３記載の考案に係るカップ吊り下げ具（以下、請求項３の吊り下げ具」という）では、請求項２の吊り下げ具の好ましい態様として、前記押え片は、前記シート部材の一端側と他端側の双方に設けられ、当該押え片各々は、折り起こしにより当該シート部材に形成された折り起こし孔の双方を貫通させた割りばしを介してカップの上端開口の周縁もしくはカップの上端開口に被せられた蓋部材と接触するように構成されている。この場合の押え片は、両者ともにカップ側に折り起こしてもよいが、一方をカップ側に他方を外側に折り起こして、つまり、同方向に折り起こすようにしてもよい。
【００１４】
請求項３の吊り下げ具によれば、両方の押え片を用いて規制すれば、一方だけの場合に比べ規制効果を高まることはいうまでもない。その反面、一方でも足りると思われる場合に、一端側の押え片か他端側の押え片のうち手近にある方を折り起こして使えばよいので、使い勝手がよい。さらに、割りばしがカップの縁にブリッジし、それを一方または双方の押え片が抑えるためより安定したカップの上下動規制を実現することができる。押え片による押えは、折り起こし孔から割りばしが抜け落ちることも併せて防いでくれる。
【００１５】
（請求項４記載の考案の特徴）
請求項４記載の考案に係るカップ吊り下げ具（以下、請求項４の吊り下げ具」という）は、カップを吊り下げて持ち運ぶためのカップ吊り下げ具である。請求項８の吊り下げ具は、カップ保持部を挟んだ両側に一端側と他端側とを有する可撓性のシート部材と、当該カップ保持部にカップが保持された状態で当該シート部材の一端側と他端側とをカップ上方で重ね合わせたとき、当該シート部材の一端側と他端側の少なくとも一方からカップ側に突出してカップの上端開口の周縁もしくはカッブの上端開口に被せられた蓋部材と直接的もしくは間接的に接触することにより当該シート部材に対するカップの上下動を規制するための押え片と、を有することを特徴とする。
【００１６】
請求項４の吊り下げ具によれば、シート部材の一端側と他端側を重ね合わせた状態で、カップを吊り下げることができる。シート部材に対するカップの上下動を押え片が規制するので、吊り下げて持ち運ぶときカップの底が、たとえば、テーブルなどの障害物にぶつかっても容易に跳ね上がったり飛び出したりすることが防止される。このため、カップの持ち運びの際に、収納物をこぼしたり、カップ自体を吊り下げ具から落下されたりする恐れが払しょくされる。押え片は、使用時に突出するものなので、使用前もしくは使用後の請求項８の吊り下げ具を、複数枚を積み重ねても不安定にならないし、嵩張りも最小限で済む。
【００１７】
（請求項５記載の考案の特徴）
請求項５記載の考案に係るカップ吊り下げ具（以下、請求項５の吊り下げ具」という）は、カップを吊り下げて持ち運ぶためのカップ吊り下げ具である。請求項９の吊り下げ具は、カップ保持部を挟んだ両側に一端側と他端側とを有する可撓性のシート部材と、当該シート部材の一端側と他端側のそれぞれに貫通形成された、カップを部分的に突出可能な突出用開口と、当該カップ保持部にカップが保持された状態で当該シート部材の一端側と他端側とをカップ上方で重ね合わせたとき、当該シート部材の一端側と他端側の少なくとも一方から反カップ側に突出して当該突出用開口から突出したカップの上端開口の周縁もしくはカッブの上端開口に被せられた蓋部材と直接的もしくは間接的に接触し、当該シート部材に対するカップの上下動を規制するための押え片と、を有することを特徴とする。
【００１８】
請求項５の吊り下げ具によれば、シート部材の一端側と他端側を重ね合わせた状態で、カップを吊り下げることができる。シート部材に対するカップの上下動を押え片が規制するので、吊り下げて持ち運ぶときカップの底が、たとえば、テーブルなどの障害物にぶつかっても容易に跳ね上がったり飛び出したりすることが防止される。このため、カップの持ち運びの際に、収納物をこぼしたり、カップ自体を吊り下げ具から落下されたりする恐れが払しょくされる。さらに、突出用開口からカップが部分的に突出するので、突出部分が引っ掛かってシート部材に対するカップ全体の横ずれを防止する。押え片は、使用時に突出するものなので、使用前もしくは使用後の請求項９の吊り下げ具を、複数枚を積み重ねても不安定にならないし、嵩張りも最小限で済む。
【００１９】
（請求項６記載の考案の特徴）
請求項６記載の考案に係るカップ吊り下げ具（以下、請求項６の吊り下げ具」という）では、請求項４または５の吊り下げ具の好ましい態様として、前記規制片は、当該シート部材の一部を切り起こしてなるものであることを特徴とする。
【００２０】
請求項６の吊り下げ具によれば、押え片は、シート部材の一部を切り起こしてなるものであるから、シート部材の加工だけで形成することができ、格別な部品を要しない。このため、使用前もしくは使用後の請求項６の吊り下げ具を、複数枚を積み重ねても不安定にならないし、嵩張りも最小限で済む効果がより確実になる。
【００２１】
（請求項７記載の考案の特徴）
請求項７記載の考案に係るカップ吊り下げ具（以下、請求項７の吊り下げ具」という）では、請求項５の吊り下げ具の好ましい態様として、前記カップ保持部は丼形状のカップを載置可能に構成され、前記突出用開口のそれぞれは、丼形状のカップの上縁開口の周縁が少なくとも突出可能な形状に形成されていることを特徴とする。
【００２２】
請求項７の吊り下げ具によれば、丼形状のカップを安定して吊り下げることができる。うどんやそばなどが入った麺カップなどが対象となる。
【００２３】
（請求項８記載の考案の特徴）
請求項１２記載の考案に係るカップ吊り下げ具（以下、請求項１２の吊り下げ具」という）では、請求項５の吊り下げ具の好ましい態様として、前記カップ保持部は、対向する角部を有する弁当箱形状のカップを、対向する角部のそれぞれが前記突出用開口に向けて載置可能に構成され、前記突出用開口のそれぞれは、対向する角部のそれぞれが突出可能な形状に形成されていることを特徴とする。
【００２４】
請求項８の吊り下げ具によれば、弁当箱形状のカップを安定して吊り下げることができる。やきそばなどは入った麺カップなどが対象となる。
【図面の簡単な説明】
【００２５】
【図１】コーヒーカップを保持した状態のカップ吊り下げ具を示す斜視図である。
【図２】図１に示すカップ吊り下げ具を展開した状態の正面図（ａ）と平面図（ｂ）である。
【図３】図１に示すカップ吊り下げ具の左側面図である。
【図４】麺カップを保持した状態のカップ吊り下げ具を示す斜視図である。
【図５】図４に示すカップ吊り下げ具の左側面図である。
【図６】図４に示すカップ吊り下げ具に割りばしを差し込んだ状態を示す左側面図である。
【図７】カップスープとスプーンを保持した状態のカップ吊り下げ具を示す斜視図である。
【図８】図７に示すカップ吊り下げ具の展開平面図である。
【図９】カップ吊り下げ具の変形例を示す展開平面図である。
【図１０】２個のカップを持ち運ぶことのできるカップ吊り下げ具の展開平面図である。
【図１１】カップ保持孔の変形例の使用状態を示す斜視図である。
【図１２】本実施形態の変形例１に係るカップ吊り下げ具の使用状態を示す斜視図である。
【図１３】図１２に示すカップ吊り下げ具の展開平面図である。
【図１４】本実施形態の変形例２に係るカップ吊り下げ具の使用状態を示す斜視図である。
【図１５】図１４に示すカップ吊り下げ具の正面図である。
【図１６】図１４に示すカップ吊り下げ具の平面図である。
【図１７】本実施形態の変形例３に係るカップ吊り下げ具の使用状態を示す斜視図である。
【図１８】図１７に示すカップ吊り下げ具の展開平面図である。
【図１９】本実施形態の変形例４に係るカップ吊り下げ具の使用状態を示す斜視図である。
【図２０】図１９に示すカップ吊り下げ具の展開平面図である。
【考案を実施するための形態】
【００２６】
（定義）
本明細書におけるカップには、たとえば、ホットもしくはやアイスのコーヒーや紅茶などの飲料が収納された飲料カップ、ラーメン・うどん・春雨などの麺・ヌードルが収納された麺カップ、かゆや雑炊などが収納された飯物カップ、味噌汁や各種スープなどの汁物が収納された汁カップなど、がある。カップには所定形状（たとえば、円形や多角形）の底があり当該底と平行な断面形状が上端に向かって次第に相似形的に大きくなる（底が円形ならその径がだんだん大きくなる）テーパー状のものであり、その大きさは、収納物の種類や量などによってさまざまなものがある。日本そばやうどんなどが収容されたどんぶり（丼）形のものや、焼きそばなどを入れる弁当箱形のものなども含まれる。たとえば、コーヒーのカップのように、同じ飲料であっても大中小にサイズ分けされたものもある。こぼれやゴミが入るのを防ぐ目的で、カップに蓋を被せることもある。また、麺カップや汁カップのように、カップ上端に貼り付けられたシール蓋を僅かに剥がして湯を注ぎ、中身が出来上がるまでシールを戻しておくタイプもある。飲料や麺などの代わりに、スナック菓子を入れるものも一般的である。本明細書におけるカップは、上記したものを一例として、また、飲食料品に限らずあらゆる目的のカップが対象となる。
【００２７】
（全体構造・シート部材）
以下、本考案の実施形態に係るカップ吊り下げ具について図面を参照しながら説明する。
図１における符号１は、カップ１０１を保持した状態のカップ吊り下げ具（以下、適宜「吊り下げ具１」という）を示す。図２の（ａ）および（ｂ）に示すように、シート部材３は、可撓性（弾性変形できる性質）がある素材、たとえば、薄いプラスチックシートや無垢の紙材、プラスチックをコーティングした紙材などの素材、天然・合成皮革、布、不織布などの素材、さらにこれらを複合した素材などによって構成されている。コーヒーなどが入ったカップ１０１を吊り下げるのに十分な強度を持ち、その強度は濡れても保てる素材であれば何でもよい。後述するカップ保持孔や係合孔・折り起こし孔の縁などを合成樹脂材などによって被覆することも本考案の射程内である。使い捨てとしてもよいが、何回も使いまわしできるようにすれば、環境にやさしい吊り下げ具となる。使用時に外から見えるシート部材の表面を表示部とし、そこに、歩く広告塔としての機能を持たせるために商品の宣伝や店舗表示を入れたり、ファッション性を持たせるために適宜に彩色・装飾を施したりすることもよい。たとえば、桜、ひまわり、紅葉、雪だるまのような装飾を季節替わりで施したり、ご当地のゆるキャラやアニメのキャラクターなどを表示したりすることも楽しい。
【００２８】
図２（ａ）に示すように、平面視のシート部材３は、全体として角を取り去ったひし形に似た形状の１枚シートによって構成されている。別の言い方をすると、それぞれ釣鐘形状の一端側３ａと他端側３ｂが、長さ方向中央に形成された折れ線１１を挟んで線対称に構成されている。折れ線１１は、吊り下げ具１にとってなくてはならないものではないが、これを設けておくことにより使用していないときに二つ折りしてコンパクトにする効果や、図３に示すような一端部３ａと他端部３ｂとの重ね合わせを容易にするメリットなどが得られる。なお、シート部材３の平面形状は、本考案の特徴を備えカップの吊り下げという目的を達成可能であれば、何ら限定がないことはいうまでもない。図２（ａ）に示すように、バランス的に支障がなければ、左右対称である必要もない。
【００２９】
（カップ保持孔）
図１および図２（ｂ）が示すように、シート部材３の中央（カップ保持部３ｃ、図２）には、折り線１１を遮るように円形のカップ保持孔５が形成されている。カップ保持孔５は、吊り下げが想定されるカップ１０１のカップの最大径より小さく、かつ、カップの最小径より大きな内径に形成されている。この径の差を利用して、カップ保持孔５にカップ１０１を保持するようになっている。
【００３０】
カップ保持孔５の形状は、カップを差し入れることができる形状であればカップの底の形状と同じ（相似）である必要は必ずしもない。たとえば、カップ保持孔５の形状が円形のまま多角形のカップを保持することもできるし、その逆もある。ハート形の底をもつカップを多角形のカップ保持孔で保持してもよい。どのような形のカップであっても、まず。そのカップの底を差し入れることができる孔であること、カップの底の最大長（円形なら直径、正方形なら対角線、ひし形なら長いほうの対角線の長さ、その他の形状ならその形状の一番長い部分の長さ）より長く、かつ、カップの上端の最大長より短い、内側最大長を有する孔であることが要件となる。この要件が満たされないと、差し入れ不能であっては論外であるし、カップの上端の最大長より長い内側最大長を有する孔では、カップがすり抜けてしまうのでカップ保持孔として機能しないからである。
【００３１】
（押え片）
図２（ｂ）に示すように、シート部材３の長さ方向に、カップ保持孔５を挟んで押え片７と押え片９が一端を残して切り抜き形成され、図２（ａ）に示すようにシート部材３から折り起こして使用する。押え片７は一端側３ａに、押え片９は他端側３ｂに、それぞれ位置している。押え片７と押え片９は、その目的が達成できるのであれば形状を問わないが（後述の各変形例で同じ）、本実施形態ではそれぞれ扁平の半円形状に形成されている。半円形状であれば、たとえば、麺カップのシール蓋（図４参照）などと接触した際に突き刺さったりする恐れがないからである。なお、抑え片は上記のように２個とすることが安定した押えなどのために好ましいが、押え片７もしくは抑え片９の何れか一方だけ設けるようにしてもかまわない。さらに、適宜な個所に、押え片７および抑え片９以外の他の押え片を形成することを妨げない。
【００３２】
（連結構造）
図１ないし３を参照しながら、連結構造を説明する。この連結構造は、シート部材３の一端側３ａと他端側３ｂとを重ね合わせたときに両端を解除可能に嵌めこみ連結するためのものであり、次のように構成されている。すなわち、連結構造は、シート部材３の、たとえば一端側３ａに形成された係合孔２１と、同じく他端側３ｂに形成された係合片２３から構成されている。係合孔２１は、切り抜き孔であって、押え片７に近いほうに設けられた扁平楕円形状の長円孔部２１ａと、遠いほうに形成された細い長方形状の方形孔部２１ｂとから構成されている。図２（ｂ）から明らかなように、長円孔部２１ａの長さは、方形孔部２１ｂの長さより短く構成されている。
【００３３】
一方、係合片２３は、図２（ｂ）から明らかなように、平面視したときに係合孔２１とほぼ同じ形状をしており、折れ線１１に対し線対称の位置に設けられている。すなわち、係合片２３は、長円孔部２１ａに対応する長円部２３ａと、方形孔部２１ｂに対応する方形部を備えている。係合片２３は、シート部材３に一端を残して切り抜き形成したものである。係合片２３を折り起こすと、シート部材３に折り起こし孔２３ｈが現れる（図１参照）。
【００３４】
（吊り下げ具の使用方法）
図１ないし３を参照しながら、吊り下げ具１の使用方法を説明する。ここでは、コンビニエンスストアでホットコーヒーを購入した場合を想定する。カップ１０１には蓋部材１０３を被せてある。ここで、図２（ｂ）に示すように吊り下げ具１をテーブルＴ（図３参照）の上に置き、その状態でカップ１０１の底をカップ保持孔５の中に入れる（テープ?Ｔの上に置かれた状態）。ここで、吊り下げ具１（シート部材３）の一端側３ａと他端側３ｂをそれぞれ両手で持って持ち上げる（図３の２点鎖線で示す状態）。カップ保持孔５の内径とカップ１０１の外形が一致すると、カップ１０１の重みで吊り下げ具１自体の持ち上げができなくなり、その代わりに、２点鎖線の矢印で示すように一端側３ａと他端側３ｂがそり上がり、やがて両者が重ね合わされる。図３の実践は、一端側３ａと他端側３ｂを重ね合わせた状態を示している。
【００３５】
重ね合わさった状態で、図２（ａ）に示すように、係合片２３をシート部材３（の他端側３ｂ）から折り起こし、係合孔２１の長円孔部２１ａに差し込み、少し持ち上げるように折り返すと（図１、３参照）、方形部２３ｂが方形孔部２１ｂに係合させることができる。このとき、長円部２３ｂは方形孔部２１ａよりも幅広であるため、そこで引っ掛かり抜け止めされるようになっている。その状態で、外側から押圧して押え片７と押え片７を折り起こすと、両者はそれぞれ蓋部材１０３の頂部を弾性的に押え、これによって吊り下げ具１０１に対するカップ１０１の上下動が規制される。
【００３６】
なお、係合片２１の折り起こしと折り返しによって、係合孔２１と折り起こし孔２３ｈが一致して貫通するので、そこに指をいれ（図３参照）、カップ１０１ごと吊り下げ具１を持ち上げることができる。これでカップ１０１の吊り下げが可能となる。指の代わりに紐やフック（いずれも図示省略）などを差し入れ、それらを持ち上げることにより間接的に吊り下げることもできる。
【００３７】
（別の形状のカップ）
図４および５に示すカップ１１１は、シール蓋１１３を有する麺カップである。吊り下げ具１０１の押え片７および抑え片９は、シール蓋１１３の頂部を弾性的に押えている。図６に示すように、押え片７と押え片９は、折り起こし孔７ｈと折り起こし孔９ｈを貫通させた割りばし（棒部材）１１７を介してカップ１１１を抑えるようにしてもよい。割りばし１１ｔが麺カップ１１１の上端縁にブリッジしてより安定的に上下動を規制することができるし、中身を食べるとき使う割りばしを一緒に吊り下げて運ぶことができて便利である。
【００３８】
図７および８に示す吊り下げ具１２１は、次の１点を除き吊り下げ具１と基本構造が共通である。したがって、両者に共通する部材については、図１に示す部材番号と同じ部材番号を図７で用い、それらの説明は省略する。両者間で異なる点は、食器保持孔２５ｈの有無である。すなわち、吊り下げ具１２１は食器保持孔２５ｈを有する点で吊り下げ具１と異なっている。食器保持孔２５ｈは、スプーン１１９の柄を、上から差し込んで保持するための小円形の孔であって、カップ保持孔５の脇に少なくとも１個（本実施形態では２個。１個はカップの裏に隠れている）貫通形成されている。カップスープや雑炊などを食べるときに用いるスプーンを、カップ１０１と同時に吊り下げて運べるので、たいへん便利である。
【００３９】
図９に示す吊り下げ具１３１は、シート部材１３５の形状がシート部材３と異なる点を除き吊り下げ具１と基本構造が共通である。したがって、両者に共通する部材については、図１に示す部材番号と同じ部材番号を図９で用い、それらの説明は省略する。シート部材１３５は、同じほどの大きさの円形シート１３５ａ、１３５ｂ，１３５ｃを１列に３個並べたような形状に形成され、中央に位置する円形シート（カップ保持部）１３５ｂの中心部にカップ保持孔５が貫通形成されている。一端側の円形シート１３５ａには指入れ孔１３７ａが、他端側の円形シート１３５ｂには指入れ孔１３７ｂが、それぞれ形成され、両者を重ね合わせたとき両方の孔の中に指を入れられるようになっている。指入れ孔１３７ａの中に突き出す小片は、重ね合わせた円形シート１３５ａと円形シート１３５ｂを連結するための折り返し片である。折り返し片１３９を円形シート１３７ｂの外側で折り返して両シートを連結する機能を担っている。
【００４０】
図１０に示す吊り下げ具１４１は、次の１点を除き吊り下げ具１と基本構造が共通である。したがって、両者に共通する部材については、図１に示す部材番号と同じ部材番号を図１０で用い、それらの説明は省略する。両者間で異なる点は、カップ保持孔５と、一対の押え片７，７，９，９が複数になっている点である。すなわち、吊り下げ具１４１のシート部材１４３は、先に説明したシート部材３の倍近い幅広に形成され、記カップ保持孔５と押え片７，７，９，９のそれぞれが、シート部材１４３の中央部位（カップ保持部）の幅方向一列に複数設けられている。同時に２このカップを吊り下げて運ぶときにたいへん便利である。なお、符号１３，１３は、中央の折れ線１１により二つ折りにした一端側１４３ａと他端側１４３ｂを、さらにそれぞれ二つ折りにするための折れ線を示す。すなわち、シート部材１４３は、よりコンパクトにするために四つ折り可能に形成されている。なお、図示は省略するが、先に説明したシート部材３もこれと同様に四つ折り可能に形成してもよい。
【００４１】
（カップ保持孔の変形例）
図１１に示す吊り下げ具１５１の基本形は、図４に示す吊り下げ具１であり、両者が異なる点は、カップ保持孔の形状と、保持されるカップの形状のみである。したがって、両者共通する部材について図１１では図４で用いた符号と同じ符号を付するに留め、この相違点についてだけ説明する。
【００４２】
吊り下げ具１５１のカップ保持孔５´は、多角形（ここでは八角形）のカップ１０１´の底（図１１では隠れて見えない）の形状と相似形に形成されている。符号１１３´は、カップ１０１´の開口を塞ぐシール蓋を示す。吊り下げ具１５１の作用効果は、吊り下げ具１０１のそれと変わるところがない。カップ保持孔５´の形状は多角形であるが、吊り下げ具１５１を用いて円形の底をもつカップを吊り下げることもできる。
【００４３】
（本実施形態の変形例１）
図１２および図１３を参照しながら、変形例１について説明する。変形例１に係る吊り下げ具１６１は、本実施形態に係る吊り下げ具１（図１、２）と基本構造を共通にする。このため、以下では両者間で異なる点についての説明を行う。図１２および１３に示される部材番号と同じ部材番号が図１および２にも示される場合は、当該同じ部材番号によって示される部材は、両者間で共通する部材である。
【００４４】
図１２および図１３に示すシート部材３中央のカップ保持部３ｃには、カップ１０１の形状に合わせたカップ保持孔５´（変形例１では円形）が貫通形成されている。符号１６３は、シート部材３の一端側３ａと他端側３ｂのそれぞれに貫通形成された突出用開口を示す。突出用開口１６３（本実施形態の折り起こし孔９ｈの変形）は、カップ１０１が部分的に突出可能な形状に形成されている。突出用開口１６３からの部分的突出は、突出用開口１６３の周縁部に突出部位を引っ掛からせることにより、カップ１０１の上部がシート部材３に対して首振りしないで安定的に保持されるようにする。
【００４５】
押え片１６５（本実施形態の押え片７の変形）は、突出用開口１６３に突出するように切り起こして形成され、突出用開口１６３から突出するカップ１０１の突出部位のシール蓋１１３´の上から押えられるよう構成されている。すなわち、使用時の押え片１６５のそれぞれは、シート部材３の外側（反カップ１０１側）に突出してシート部材３に対するカップ１０１の上下動を規制することになる。なお、変形例１では、２本の折れ線１１´，１１´がカップ保持孔５´が形成されたカップ保持部３ｃを挟んで形成されている。必須ではないが２本とすることにより、一端側３ａと他端側３ｂを重ね合わせようとするときのシート部材３の反発が少なくなるため係合片２３を係合孔２１（図１３）に係合させる作業が幾分楽になる。
【００４６】
（本実施形態の変形例２）
図１４ないし１６を参照しながら、変形例２について説明する。変形例２に係る吊り下げ具１７１は、変形例１に係る吊り下げ具１６１（図１２、１３）と基本構造を共通にする。以下では、両者間で異なる部分を重点的に説明する。
【００４７】
吊り下げ具１７１のシート部材１７３は、一端側１７３ａと他端側１７３ｂの間に、折れ線１７３ｐ，１７３ｐで区切られたカップ保持部１７３ｃを有している。カップ保持部１７３ｃは、カップ１７２（図１４）を載置可能な広さを持っており、任意ではあるがカップ保持孔は形成されていない。カップ１７２は丼形状で、一般的にはうどんやそばを入れるのに適している。
【００４８】
シート部材１７３の一端側１７３ａと他端側１７３ｂのそれぞれには、半円形の突出用開口１７５が形成され、それぞれに抑え片１７７が突出している。押え片１７７，１７７は、係合孔１７３ｄに係合片１７３ｅを係合させたとき、シート部材１７３の外側（反カップ１７２側）に突出し、突出用開口１７５から突き出したカップ１７２の突出部位を、蓋部材１７２の上から押えて上下動を規制するように構成されている。
【００４９】
（本実施形態の変形例３）
図１７および図１８を参照しながら、変形例３について説明する。変形例３に係る吊り下げ具１７１´は、変形例２に係る吊り下げ具１７１（図１４ないし１６）と基本構造を共通にする。このため、以下では両者間で異なる点についての説明を行う。図１４ないし１６に示される部材番号と同じ部材番号にダッシュ「´」を付したものが図１７および１８にも示される場合は、当該同じ部材番号によって示される部材は、両者間で共通する部材である。
【００５０】
すなわち、吊り下げ具１７１´が有する突出用開口１７５´は、変形例２の突出用開口１７５より大きく、カップ１７２´の突出部位の上から下までが突出するように形成されている。つまり、カップ１７２´の底部をも突出用開口１７５´から部分的に突出するようになっている。突出用開口１７５´の形状をカップ１７２´の形状に合わせて適切に設定することにより、カップ１７２´がシート部材３に対して首振りしないで安定的に保持されるようになることは、変形例１の吊り下げ具１６１と同じである。図１７に示されるように押え片１７７´が三角形でカップ１７２´より外側にせり出すほど大きいが、これはデザイン上の要請によるもので、押え機能を果たせる限り形状や大きさに何ら制限はない。なお、吊り下げ具１７１´は折れ線１７３ｑを有する点で、これを有しない吊り下げ具１７１と異なっている。折れ線１７３ｑ，１７３ｑは、必須ではないがこれらを有することにより、一端側１７３ａ´と他端側１７３ｂ´を重ね合わせようとするときのシート部材１７３´の反発が少なくなるため係合片１７３ｅ´を係合孔１７３ｄ´（図１８）に係合させる作業が幾分楽になる。
【００５１】
（本実施形態の変形例４）
最後に図１９および図２０を参照しながら、変形例４について説明する。変形例４に係る吊り下げ具１７１´は、変形例３に係る吊り下げ具１７１´（図１７および１８）と同じものである。変形例４の最大の特徴は、カップ１７９が矩形の弁当箱形状である点である。カップ１７３ｃ´カップ１７９の対向する角部のそれぞれを突出用開口１７５´，１７５´に向けて載置可能な形状に、また、突出用開口１７５´，１７５´は当該角部のそれぞれが突出可能な形状に、それぞれ形成されている（図２０）。カップ１７９は、たとえば、ざるそばや焼きそば用として好適である。角部を突出させずに載置することを妨げないが、突出させるとカップ１７９が使用時のシート部材１７３´からずり落ちないので、安定した吊り下げのために好ましい。
【符号の説明】
【００５２】
１            吊り下げ具
３            シート部材
３ａ          一端側
３ｂ          他端側
３ｃ          カップ保持部
５            カップ保持孔
５´          カップ保持孔
７            押え片（規制構造）
７ｈ          折り起こし孔
９            押え片（規制構造）
９ｈ          折り起こし孔
１１            折れ線
１１´          折れ線
１３            折れ線
２１            係合孔
２１ａ          長円孔部
２１ｂ          方形孔部
２３            係合片
２３ｈ          折り起こし孔
２３ａ          長円部
２３ｂ          方形部
２５ｈ          食器保持孔      
１０１            カップ
１０１´          多角形カップ
１０３            蓋部材
１０５            カップシール
１１１            カップ
１１３            シール蓋
１１３´          シール蓋
１１７            割りばし
１１９            スプーン
１２１            吊り下げ具
１３１            吊り下げ具
１３５            シート部材
１３７            指入れ孔
１３９            折り返し片
１４１            吊り下げ具
１５１            吊り下げ具
１６１            吊り下げ具
１６３            突出用開口
１６５            押え片
１７１            吊り下げ具
１７１´          吊り下げ具
１７２            カップ（丼形状）
１７２´          カップ（丼形状）
１７２ａ          蓋部材
１７２ａ´        蓋部材
１７３            シート部材
１７３´          シート部材
１７３ａ          一端側
１７３ａ´        一端側
１７３ｂ          他端側
１７３ｂ´        他端側
１７３ｃ          カップ保持部
１７３ｃ´        カップ保持部
１７３ｄ          係合孔
１７３ｄ´        係合孔
１７３ｅ          係合片
１７３ｅ´        係合片
１７３ｐ          折れ線
１７３ｐ´        折れ線
１７３ｑ          折れ線
１７５            突出用開口
１７５´          突出用開口
１７７            押え片
１７７´          押え片
１７９            カップ（弁当箱形状）
Ｔ                テーブル
【図１】
0003215638.tif 000003
【図２】
0003215638.tif 000004
【図３】
0003215638.tif 000005
【図４】
0003215638.tif 000006
【図５】
0003215638.tif 000007
【図６】
0003215638.tif 000008
【図７】
0003215638.tif 000009
【図８】
0003215638.tif 000010
【図９】
0003215638.tif 000011
【図１０】
0003215638.tif 000012
【図１１】
0003215638.tif 000013
【図１２】
0003215638.tif 000014
【図１３】
0003215638.tif 000015
【図１４】
0003215638.tif 000016
【図１５】
0003215638.tif 000017
【図１６】
0003215638.tif 000018
【図１７】
0003215638.tif 000019
【図１８】
0003215638.tif 000020
【図１９】
0003215638.tif 000021
【図２０】
0003215638.tif 000022